(57)【要約】【課題】画像の表示を繰り返し使用することができる媒体、特に温度の変化によって変色する媒体を提供する。また、本実施の他の形態は、当該媒体を備える電子機器および表示システムを提供する。【解決手段】温度の変化によって変色する感温インクが含浸または塗布された媒体であって、前記媒体は、含浸または塗布された領域の全体が第１色彩（第１色相、第１明度、および第１彩度）を有する第１状態と、含浸または塗布された領域の少なくとも一部が第２色彩（第２色相、第２明度、および第２彩度）を有する第２状態と、を有し、前記第１色彩は、前記第２色彩と異なり、前記第１状態から前記第２状態へ可逆変化する温度変色媒体を用いる。【選択図】図１
2020185764.tif 000002
【特許請求の範囲】
【請求項１】
温度の変化によって変色する感温インクが含浸または塗布された媒体であって、
前記媒体は、
含浸または塗布された領域の全体が第１色彩を有する第１状態と、
含浸または塗布された領域の少なくとも一部が第２色彩を有する第２状態と、
を有し、
前記第１色彩は、前記第２色彩と異なり、
前記第１状態から前記第２状態へ可逆変化する温度変色媒体。
【請求項２】
前記媒体は、さらに、含浸または塗布された領域の少なくとも一部が第３色彩を有する第３状態と、を有し、
前記第３色彩は、前記第１色彩および前記第２色彩と異なり、
前記第２状態から前記第３状態へ可逆変化する請求項１に記載の温度変色媒体。
【請求項３】
前記媒体は、２種以上の前記感温インクが含浸または塗布されている請求項１または２に記載の温度変色媒体。
【請求項４】
前記媒体は、紙、布、木材、金属、ガラス、プラスチック、及び樹脂からなる群から選択される少なくとも１つを含む請求項１〜３のいずれか１項に記載の温度変色媒体。
【請求項５】
前記第２状態において、前記媒体内に立体像が形成される請求項１〜４のいずれか１項に記載の温度変色媒体。
【請求項６】
温度の変化によって変色する感温インクが含浸または塗布された媒体と、
前記媒体を加熱または冷却して前記感温インクの発色状態を変更する発色変更機構と、
を備え、
前記感温インクの発色状態は、
含浸または塗布された領域の全体が第１色彩を有する第１状態と、
含浸または塗布された領域の少なくとも一部が第２色彩を有する第２状態と、
を有し、
前記第１色彩は、前記第２色彩と異なり、
前記発色変更機構により、前記第１状態から前記第２状態へ可逆変化する電子機器。
【請求項７】
さらに、前記発色変更機構を制御する制御装置を備える請求項６に記載の電子機器。
【請求項８】
さらに、前記感温インクの発色状態の情報を記憶する記憶装置を備え、
前記情報を基に前記感温インクの発色状態を変更する請求項６または７に記載の電子機器。
【請求項９】
前記感温インクの発色状態は、さらに、少なくとも一部が第３色彩を有する第３状態と、を有し、
前記第３色彩は、前記第１色彩および前記第２色彩と異なり、
前記発色変更機構により、前記第２状態から前記第３状態へ可逆変化する請求項６〜８のいずれか１項に記載の電子機器。
【請求項１０】
前記媒体は、複数種の前記感温インクが含浸または塗布されている請求項６〜９のいずれか１項に記載の電子機器。
【請求項１１】
前記媒体は、紙、布、木材、金属、ガラス、プラスチック、及び樹脂からなる群から選択される少なくとも１つを含む請求項６〜１０のいずれか１項に記載の電子機器。
【請求項１２】
前記発色変更機構は、ペルチェ素子を含む請求項６〜１１のいずれか１項に記載の電子機器。
【請求項１３】
前記発色変更機構は、レーザー照射装置を含む請求項６〜１２のいずれか１項に記載の電子機器。
【請求項１４】
前記発色変更機構は、気体を噴射して温度を低下させる冷却機構を含む請求項６〜１３のいずれか１項に記載の電子機器。
【請求項１５】
請求項６〜１４のいずれか１項に記載の電子機器を備える掲示ボート。
【請求項１６】
請求項６〜１４のいずれか１項に記載の電子機器を備えるロール式切り替え表示装置。
【請求項１７】
温度の変化によって変色する感温インクが含浸または塗布された媒体と、
前記媒体を加熱または冷却して前記感温インクの発色状態を変更する発色変更機構を有する発色変更装置と、
前記発色変更機構を制御する制御装置と、
を備え、
前記感温インクの発色状態は、
含浸または塗布された領域の全体が第１色彩を有する第１状態と、
含浸または塗布された領域の少なくとも一部が第２色彩を有する第２状態と、
を有し、
前記第１色彩は、前記第２色彩と異なり、
前記発色変更装置により、前記第１状態から前記第２状態へ可逆変化する表示システム。
【請求項１８】
さらに、前記感温インクの発色状態の情報を記憶する記憶装置を備え、
前記情報を基に前記感温インクの発色状態を変更する請求項１７に記載の表示システム。
【請求項１９】
前記制御装置は、前記第１状態と前記第２状態を比較して色彩情報の差分を利用して発色変更機構を制御する請求項１７または１８に記載の表示システム。
【請求項２０】
前記感温インクの発色状態は、さらに、少なくとも一部が第３色彩を有する第３状態と、を有し、
前記第３色彩は、前記第１色彩および前記第２色彩と異なり、
前記発色変更装置より、前記第２状態から前記第３状態へ可逆変化する請求項１７〜１９のいずれか１項に記載の表示システム。
【請求項２１】
前記媒体は、複数種の前記感温インクが含浸または塗布されている請求項１７〜２０のいずれか１項に記載の表示システム。
【発明の詳細な説明】
【技術分野】
【０００１】
本実施の形態は、温度変色媒体、電子機器、および表示システムに関する。
【背景技術】
【０００２】
近年、環境問題の観点から、各種分野ではペーパーレス化の流れがあり、用紙などの媒体に印刷に係るコストを可能な限り削減することが求められている。しかしながら、ペーパーレス化を行うことのメリットを理解しているにもかかわらず、用紙で取引先に資料を提出する必要がある、用紙ならメモ書きができるがペーパーレス化するとかえって業務効率が悪くなる、などの印刷物を求める要請がかなり多く残っている。
【０００３】
ペーパーレス化をせずに、コストを可能な限り削減する方法として、例えば、ユーザーが画像をカラー画像として印刷する前に、コスト情報をユーザーに提示し、自覚させる技術がある。
【先行技術文献】
【特許文献】
【０００４】
【特許文献１】特開２００９−２１１７０２号公報
【発明の概要】
【発明が解決しようとする課題】
【０００５】
しかしながら、上記のような技術では、ユーザーが自覚してコストの削減に努めることはできるがカラーで印刷する必要があるものにおいてはコストの削減には至らない。また、用紙などの媒体に印刷するため、媒体自体も役目を終えたら再び使用することなく廃棄されており、このような現状は、媒体のコストの観点、および環境問題の観点から好ましくない。
【０００６】
本実施の形態は、文字や画像の表示を繰り返し使用することができる媒体、特に温度の変化によって変色する媒体を提供する。また、本実施の他の形態は、当該媒体を備える電子機器および表示システムを提供する。
【課題を解決するための手段】
【０００７】
本実施の形態の一態様は、温度の変化によって変色する感温インクが含浸または塗布された媒体であって、前記媒体は、含浸または塗布された領域の全体が第１色彩を有する第１状態と、含浸または塗布された領域の少なくとも一部が第２色彩を有する第２状態と、を有し、前記第１色彩は、前記第２色彩と異なり、前記第１状態から前記第２状態へ可逆変化する温度変色媒体である。
【０００８】
また、本実施の形態の他の一態様は、温度の変化によって変色する感温インクが含浸または塗布された媒体と、前記媒体を加熱または冷却して前記感温インクの発色状態を変更する発色変更機構と、を備え、前記感温インクの発色状態は、含浸または塗布された領域の全体が第１色彩を有する第１状態と、含浸または塗布された領域の少なくとも一部が第２色彩を有する第２状態と、を有し、前記第１色彩は、前記第２色彩と異なり、前記発色変更機構により、前記第１状態から前記第２状態へ可逆変化する電子機器である。
【０００９】
また、本実施の形態の他の一態様は、上記の電子機器を備える掲示ボードやロール式切り替え表示装置などの表示装置である。
【００１０】
また、本実施の形態の他の一態様は、温度の変化によって変色する感温インクが含浸または塗布された媒体と、前記媒体を加熱または冷却して前記感温インクの発色状態を変更する発色変更機構を有する発色変更装置と、前記発色変更機構を制御する制御装置と、を備え、前記感温インクの発色状態は、含浸または塗布された領域の全体が第１色彩を有する第１状態と、含浸または塗布された領域の少なくとも一部が第２色彩を有する第２状態と、を有し、前記第１色彩は、前記第２色彩と異なり、前記発色変更装置により、前記第１状態から前記第２状態へ可逆変化する表示システムである。
【発明の効果】
【００１１】
本実施の形態によれば、文字や画像の表示を繰り返し使用することができる媒体、特に温度の変化によって変色する媒体を提供することができる。また、本実施の他の形態は、当該媒体を備える電子機器および表示システムを提供することができる。
【図面の簡単な説明】
【００１２】
【図１】図１は、本実施の形態の一態様の温度変色媒体の一例を示す図である。
【図２】図２は、本実施の形態の一態様の温度変色媒体を備える電子機器の一例を示す図である。
【図３】図３は、本実施の形態の一態様の温度変色媒体を備える電子機器の一例を示す図である。
【図４】図４は、本実施の形態の一態様の温度変色媒体を備える電子機器の一例を示す図である。
【図５】図５は、本実施の形態の一態様の温度変色媒体を備える電子機器の一例を示す図である。
【図６】図６は、本実施の形態の一態様の温度変色媒体を備える電子機器の一例を示す図である。
【図７】図７は、本実施の形態の一態様の温度変色媒体を備える電子機器の一例を示す図である。
【図８】図８は、本実施の形態の一態様の温度変色媒体を備える電子機器の一例を示す図である。
【図９】図９は、本実施の形態の一態様の温度変色媒体をカラーフィルターとして用いた表示素子の断面模式図である。
【発明を実施するための形態】
【００１３】
次に、図面を参照して、本実施の形態について説明する。以下に説明する図面の記載において、同一または類似の部分には同一または類似の符号を付している。ただし、図面は模式的なものであり、各構成部品の厚みと平面寸法との関係などは現実のものとは異なることに留意すべきである。したがって、具体的な厚みや寸法は以下の説明を参酌して判断すべきものである。また、図面の相互間においても互いの寸法の関係や比率が異なる部分が含まれていることは勿論である。
【００１４】
また、以下に示す実施の形態は、技術的思想を具体化するための装置や方法を例示するものであって、各構成部品の材質、形状、構造、配置などを特定するものではない。本実施の形態は、特許請求の範囲において、種々の変更を加えることができる。
【００１５】
本実施の形態に係る温度の変化によって変色する媒体（温度変色媒体ともいう）について説明する。本実施の形態に係る温度変色媒体は、温度の変化によって変色するインク（感温インクともいう）を用いている。感温インクには、発色成分、発色をアシストする成分、および変色温度調整成分が含まれており、これらの成分の結合または解離によってインクが変色（発色および消色を含む）する。
【００１６】
感温インクの色彩は、赤色、マゼンタ、橙色、黄色、緑色、青色、シアン、紫色、黒色、などがあり、これらを組み合わせ、調整することで白色を含むあらゆる色彩を得ることができる。感温インクは、たとえば、−３０〜＋６０℃の範囲内で変色し、可逆的に変色を繰り返することができる。たとえば、感温インクを温めると、有色が無色に変化したり、無色が有色に変化したり、有色が異なる有色に変化したりするインクがある。また、上記とは逆に、感温インクを冷やすと、有色が無色に変化したり、無色が有色に変化したり、有色が異なる有色に変化したりするインクもある。
【００１７】
上記のような感温インクを用いた温度変色媒体の製造方法と温度変色媒体の色彩の変化について図１を用いて説明する。
【００１８】
まず、感温インクを用いた温度変色媒体の製造方法を説明する。図１（ａ）に示すように、媒体２に感温インク４を含浸または塗布する。感温インク４を媒体２に含浸または塗布することで図１（ｂ）に示すように、温度変色媒体５を得ることができる。なお、本明細書等において、「感温インクが含浸または塗布された（温度変色）媒体」という表現は、「感温インクが含まれる（温度変色）媒体」を含む。
【００１９】
感温インク４の含浸または塗布の方法は、特に限定されず、たとえば、スプレーする方法が挙げられる。なお、含浸または塗布する感温インク４は、１種または２種以上用いることができる。たとえば、モノクロ表示の場合は１種の感温インク４のみを用いて表示することができ、カラー表示の場合は２種以上の感温インク４を用いて表示することができる。
【００２０】
次に、温度変色媒体の色彩の変化を説明する。図１（ｃ）に示すように、温度変色媒体５は、含浸または塗布された領域の全体が第１色相、第１明度、および第１彩度である第１色彩６を有する第１状態である。たとえば、第１状態において、感温インク４が無色の場合、温度変色媒体５に媒体２の色彩が現れる。第１状態において、感温インク４が有色の場合、温度変色媒体５に当該感温インク４の色彩が現れる。また、第１状態において、温度変色媒体５に含まれる感温インク４の部分が薄く、媒体２がガラスなどの透明なものに光が透過する場合、有色の箇所に光が透過し、温度変色媒体５に有色透明の色彩が現れる。なお、媒体２が透明なものでない場合は、温度変色媒体５に媒体２の色彩と当該有色透明の色彩が組み合わさった色彩が現れる。
【００２１】
次に、図１（ｄ）に示すように、温度変色媒体５は、第１色彩６を有する第１状態から含浸または塗布された領域の少なくとも一部が第２色相、第２明度、および第２彩度である第２色彩８を有する第２状態となる。なお、第１色彩６と第２色彩８は互いに異なる。つまり、第１色相と第２色相、第１明度と第２明度、および第１彩度と第２彩度のうち少なくとも１つの要素が異なっている。第１状態から第２状態への変化は、加熱機構または冷却機構により少なくとも一部が加熱または冷却されることで温度変色媒体５に含まれる感温インク４が変色することにより生じる。
【００２２】
たとえば、第１状態から第２状態への変化させる部分を用いて、文字、画像などを表示することができる。また、第１状態から第２状態へ変化させる部分は平面に限定されず、立体面でもよい。さらに、第１状態から第２状態へ変化させて媒体内に立体像を形成してもよい。
【００２３】
また、温度変色媒体５は、さらに、含浸または塗布された領域の少なくとも一部が第３色相、第３明度、および第３彩度である第３色彩を有する第３状態となってもよく、また、これ以上の変色を伴ってもよい。なお、第３色彩は、第１色彩６と第２色彩８は互いに異なる。
【００２４】
温度変色媒体５に含まれる感温インク４は可逆的に変色を繰り返す（可逆変化する）ことができるため、たとえば、温度変色媒体５として印刷用紙を用いる場合、印刷用紙を部分的に加熱または冷却することで文字、画像などを印刷することができ、当該印刷物が不要になったら全体を加熱または冷却することで白紙にすることが可能であり、印刷用紙を再利用することができる。
【００２５】
また、温度の変化によって変色しないインク（非感温インクともいう）を併用してもよい。たとえば、会議資料用の用紙としてヘッダーにｃｏｎｆｉｄｅｎｔｉａｌなどの文字を予め入れておくなど用途に合わせて適宜、非感温インクを用いてもよい。
【００２６】
媒体２は、感温インク４が含浸または塗布するものであれば、特に限定されず、たとえば、紙、布、木材、金属、ガラス、プラスチック、及び樹脂からなる群から選択される少なくとも１つを含んでいてもよい。
【００２７】
上述した温度変色媒体を備えた電子機器について説明する。当該電子機器は、温度変色媒体と、当該温度変色媒体を加熱または冷却して当該温度変色媒体に含まれる感温インクの発色状態を変更する発色変更機構と、を備える。
【００２８】
発色変更機構としては、たとえば、加熱機構や冷却機構が挙げられる。加熱機構は、たとえば、抵抗体、ペルチェ素子、レーザー照射装置、加熱ペン（ペン先が加熱されたペン）などが挙げられ、これらを使用して温度変色媒体を全体的または部分的に加熱することができる。加熱機構は、たとえば、ペルチェ素子、ガス（冷媒）噴出装置、冷却ペン（ペン先が冷却されたペン）などが挙げられ、これらを使用して温度変色媒体を全体的または部分的に冷却することができる。なお、ガス（冷媒）としては、たとえば、プロパン、プロピレン、ブタン、イソブタン、二酸化炭素、アンモニア、テトラフルオロエタン、ハイドロフルオロカーボン、ハイドロクロロフルオロカーボンなどが挙げられる。
【００２９】
また、当該電子機器は、さらに発色変更機構を制御する制御装置を備えてもよい。
【００３０】
たとえば、制御装置からの命令にしたがって、ガス（冷媒）噴出装置のガスバルブの開閉（開閉の反復回数、反復周期、開く時間の長さなど）を制御することで、ガス（冷媒）の噴出状態を可変設定することができる。また、制御装置からの命令にしたがって、レーザー照射装置のレーザーの条件（照射強度、照射時間、照射位置など）を制御することで、レーザー照射状態を可変設定することができる。さらに、制御装置からの命令にしたがって、ペルチェ素子に流れる電流の向きや量を制御することで、ペルチェ素子の金属の発熱（加熱）状態または吸熱（冷却）状態を可変設定することができる。
【００３１】
また、当該電子機器は、さらに感温インクの発色状態の情報などを記憶する記憶装置を備えてもよい。
【００３２】
たとえば、現時点での感温インクの発色状態（現画像）の情報を記憶装置に記憶しておくことで、一度、現時点とは異なる感温インクの発色状態（他画像）になった後に記憶装置から情報を取得して感温インクの発色状態を変更し、再度、現画像を表示することができる。
【００３３】
また、現時点での感温インクの発色状態（現画像）の情報を記憶装置に記憶しておき、次に発色させる感温インクの発色状態（次画像）の情報と現画像の情報を制御装置が比較して色彩情報の差分を利用して発色変更機構を制御することで効率よく次画像を表示することもできる。
【００３４】
さらに、なんらかの原因で感温インクが発色されない場合、その情報をユーザーに伝える手段を当該電子機器に備えていてもよい。たとえば、その情報を文字で媒体に表示する手段などが挙げられる。
【００３５】
当該電子機器が備える温度変色媒体は、感温インクを含んでおり、当該感温インクは可逆的に変色を繰り返することができるため、たとえば、温度変色媒体として印刷用紙を用いる場合、印刷用紙を部分的に加熱または冷却することで文字、画像などを印刷することができ、当該印刷物が不要になったら全体を加熱または冷却することで白紙にすることが可能であり、印刷用紙を再利用することができる。
【００３６】
ここで、実施の形態の一態様の電子機器を備える各種表示装置を具体的に示す。
【００３７】
本実施の形態の電子機器を備えるプリンターの印刷について図２を用いて説明する。感温インクが含浸または塗布された温度変色媒体１０である印刷用紙にプリントヘッド１６に設けられた加熱機構１２および冷却機構１４を備える発色変更機構を有する発色変更装置を用いて文字や画像を表示（印刷）することができる。なお、文字や画像を表示（印刷）する際は、加熱機構１２および冷却機構１４が図中の矢印の方向に繰り返し動作し、印刷用紙を加熱・冷却することで所望の感温インクの発色状態を維持するようにする。
【００３８】
たとえば、加熱すると透明から黒色に変色する感温インクを用いて温度変色媒体となる白地の印刷用紙に文字を表示（印刷）することができる。また、加熱すると透明からシアン、透明からマゼンタ、透明から黄色に変色する３種の感温インクを用いて温度変色媒体となる白地の印刷用紙にカラー画像を表示（印刷）することができる。また、これに限定されず、冷却すると発色する感温インクを用いて温度変色媒体となる白地の印刷用紙に文字やカラー画像を表示（印刷）してもよいし、加熱すると発色する感温インクと冷却すると発色する感温インクを調整して温度変色媒体となる白地の印刷用紙に文字やカラー画像を表示（印刷）してもよい。
【００３９】
印刷用紙を部分的に加熱または冷却することで文字、画像などを印刷することができ、当該印刷物が不要になったら全体を加熱または冷却することで白紙にすることが可能であり、印刷用紙を再利用することができる。また、文字やカラー画像を表示（印刷）は、加熱機構および冷却機構により行われるため、従来のプリンターのようなトナー・インクカートリッジの交換が不要である。このため、本実施の形態の電子機器を備えるプリンターは、コストの観点、および環境問題の観点から好ましい。
【００４０】
また、本実施の形態の電子機器を備えるホワイトボートや黒板のような掲示ボードについて図３を用いて説明する。感温インクが含浸または塗布された温度変色媒体１０である掲示ボードに加熱ペンなどの加熱機構１２を用いて文字や画像を表示することができる。また、温度変色媒体１０である掲示ボードに冷却機構１４を図中の矢印の方向に動作することで加熱された箇所（文字や画像が表示されている箇所）を冷却することで文字や画像を消す（非表示）することができる。なお、加熱ペンなどの加熱機構１２を複数種用意し、複数種の色彩を表示することもできる。また、これに限定されず、加熱機構１２と冷却機構１４を入れ替えて、冷却ペンなどの冷却機構１４を用いて文字や画像を表示するような構成にしてもよい。
【００４１】
また、本実施の形態の電子機器を備えるロール式切り替え表示装置について図４を用いて説明する。感温インクが含浸または塗布された温度変色媒体１０にプリントヘッド１６に設けられた加熱機構１２および冷却機構１４を備える発色変更機構を有する発色変更装置を用いて文字や画像を表示（印刷）することができる。なお、発色変更装置は１か所に限られず、２か所以上設けられていてもよい。たとえば、文字や画像を表示（印刷）しながら、不要になった文字や画像を消す（非表示）することができる。
【００４２】
また、加熱機構および冷却機構を備える発色変更機構を有する発色変更装置および温度変色媒体を備える構成の一例を図５に示す。当該構成は、ペルチェ素子を含む冷却板などの冷却機構２４上に、発熱体がマトリクス状に印刷された加熱機構２２が配置されており、加熱機構２２および冷却機構２４上に感温インク２０が塗布されている。なお、ここでは、感温インク２０自体が温度変色媒体である。
【００４３】
また、加熱機構および冷却機構を備える発色変更機構を有する発色変更装置および温度変色媒体を備える構成の他の一例を図６に示す。当該構成は、ガラス板２１上に感温インク２０が塗布されている。なお、ここでは、感温インク２０自体が温度変色媒体である。感温インク２０が塗布されたガラス板２１の下側（感温インク２０が塗布されていない面側）に加熱機構１２および冷却機構１４を備える発色変更機構を有する発色変更装置がある。
【００４４】
上記のような構成を備える機器の一例としては、たとえば、カラーライトが挙げられる。図５においてペルチェ素子を含む冷却板にＩＴＯ（Ｉｎｄｉｕｍ  Ｔｉｎ  Ｏｘｉｄｅ）、酸化スズ、酸化亜鉛などの透明導電膜を用いた場合、または図６においてガラス板２１を用いた場合、感温インクが塗布されていない面側から光を照射し、感温インクの発色状態を変更することでライトの部品などを交換することなく、あらゆる色彩の光を照射することができる。
【００４５】
図７は、ペルチェ素子３４上に感温インク３０が塗布されている図である。前述したようにペルチェ素子３４は、流れる電流の向きや量を制御することでペルチェ素子の金属の発熱（加熱）状態または吸熱（冷却）状態を可変設定することができるため、加熱機構と冷却機構を別々に用意する必要がないため好ましい。また、感温インク３０はペルチェ素子の金属に直接塗布してもよいし、金属上に感温インクを含む温度変色媒体を設けてもよい。
【００４６】
また、立体的なオブジェの作製に実施の形態の一態様を用いることもできる。図８に示す温度変色媒体４０が例えば、透明な樹脂に加熱することで発色する感温インクが含まれている場合、加熱機構４２ａおよび加熱機構４２ｂであるレーザー照射装置を用いて、温度変色媒体４０に対してレーザーを２方向から照射することでレーザーが交差する点Ａが加熱される。このように方法によって、温度変色媒体４０である透明の樹脂の内部に文字や画像を表示することができ、また、平面に限られず、立体面を表示することもできる。さらに、温度変色媒体４０である透明の樹脂の内部に立体像を形成することもできる。
【００４７】
上記のような構成は、たとえば、スノードームの内側のオブジェ、ハーバリウムのようなオブジェ等の立体的なものに応用することができる。
【００４８】
また、本実施の形態の電子機器を備える表示装置の一例について図９を用いて説明する。図９は、本実施の形態の一態様の温度変色媒体をカラーフィルターとして用いた表示素子の断面模式図である。表示素子は、基板５６と、カラーフィルター（Ｂ）５１ｂと、カラーフィルター（Ｇ）５０ｇと、カラーフィルター（Ｒ）５０ｒと、陽極５７と、発光層５８と、陰極５９と、を備える。カラーフィルター（Ｂ）５０ｂ、カラーフィルター（Ｇ）５０ｇ、およびカラーフィルター（Ｒ）５０ｒは、温度変色媒体からなる。また、表示素子は、カラーフィルター（Ｂ）５１ｂ、カラーフィルター（Ｇ）５０ｇ、およびカラーフィルター（Ｒ）５０ｒは、加熱機構（図示ぜず）および冷却機構（図示ぜず）により発色状態が変更される。
【００４９】
たとえば、発光層５８からの光が、青色に発色しているカラーフィルター（Ｂ）５１ｂ、緑色に発色しているカラーフィルター（Ｇ）５０ｇ、および赤色に発色しているカラーフィルター（Ｒ）５０ｒを介して青色、緑色、および赤色に変化し、これらが合わさって白色を表示することができる。また、カラーフィルター（Ｂ）５１ｂ、カラーフィルター（Ｇ）５０ｇ、およびカラーフィルター（Ｒ）５０ｒがすべて黒色になるように制御することで発光層５８からの光を遮断することで黒色を表示することができる。
【００５０】
また、上述したような表示に関する表示システムを構築することもできる。当該表示システムは、少なくとも温度の変化によって変色する感温インクが含浸または塗布された媒体と、前記媒体を加熱または冷却して前記感温インクの発色状態を変更する発色変更機構を有する発色変更装置と、前記発色変更機構を制御する制御装置と、を備え、上記で説明したような媒体の可逆変化をするものであればよい。
【００５１】
［アプリケーション］
実施の形態の一態様の温度変色媒体は、例えば、プリンター、黒板、ホワイトボート、ライト、ロール式切り替え表示装置、テレビ、スマートフォン、タブレット端末、パソコン、デジタルサイネージ等の表示装置、オブジェ等の様々な用途において用いることができる。実施の形態の一態様の温度変色媒体を備えることで文字や画像の表示を繰り返し使用することができ、コストおよび環境問題に配慮した媒体、上記媒体を備えた電子機器・製品を提供することができる。
【００５２】
［その他の実施の形態］
上記のように、いくつかの実施の形態について記載したが、開示の一部をなす論述及び図面は例示的なものであり、限定するものであると理解すべきではない。この開示から当業者には様々な代替実施の形態、実施例及び運用技術が明らかとなろう。このように、本実施の形態は、ここでは記載していない様々な実施の形態などを含む。
【産業上の利用可能性】
【００５３】
本実施の形態の温度変色媒体、電子機器、及び表示システムは、日常生活で用いる広告等の紙媒体の表示、黒板、ホワイトボート、液晶の代替え、電飾ディスプレイ、温度計等の各種の分野において利用することができる。
【符号の説明】
【００５４】
２…媒体、４…感温インク、５…温度変色媒体、６…第１色彩、８…第２色彩、１０…温度変色媒体、１２…加熱機構、１４…冷却機構、１６…プリントヘッド、２０…感温インク、２１…ガラス板、２２…加熱機構、２４…冷却機構、３０…感温インク、３４…ペルチェ素子、４０…温度変色媒体、４２ａ…加熱機構、４２ｂ…加熱機構、５０ｂ…カラーフィルター（Ｂ）、５０ｇ…カラーフィルター（Ｇ）、５０ｒ…カラーフィルター（Ｒ）、５６…基板、５７…陽極、５８…発光層、５９…陰極
【図１】
2020185764.tif 000003
【図２】
2020185764.tif 000004
【図３】
2020185764.tif 000005
【図４】
2020185764.tif 000006
【図５】
2020185764.tif 000007
【図６】
2020185764.tif 000008
【図７】
2020185764.tif 000009
【図８】
2020185764.tif 000010
【図９】
2020185764.tif 000011